(57)【要約】      （修正有）【課題】使用上、より快速的且つ便利である刃物研ぎ器構造を提供する。【解決手段】刃物研ぎ器主体と第１の砥石セット、第２の砥石セット、蓋体、油擦及び保護遮蔽からなり、該第１の砥石セットは刃物研ぎ器主体の延伸首の端部に結合され、定位槽に位置し、また、握りと延伸首とともに同一方向の線上に設置され、第２の砥石セットは刃物研ぎ器主体の延伸首の中段に結合され、第２の定位槽に位置し、蓋体は可動的に刃物研ぎ器主体の収納槽に嵌合され、油擦は刃物研ぎ器主体の収納槽に収納され、保護遮蔽は刃物研ぎ器主体の握りの前方に固結され、握りから外部へ延ばした保護段があり、保護段が砥石セットの使用方向と同一方向に設置される。【選択図】図２
0003129848.tif 000002
【実用新案登録請求の範囲】
【請求項１】
後段に、握りがあり、握りの前方に、一体的に延伸首が延ばし、該延伸首の上方に、退避円弧面が形成され、延伸首の先端位置に、第１の定位槽があり、中段の下方に、第２の定位槽が設けられる刃物研ぎ器主体と、
該刃物研ぎ器主体の延伸首の先端位置に結合され、第１の定位槽に位置し、握りと延伸首とともに、同一方向の線上に設置される第１の砥石セットと、
該刃物研ぎ器主体の延伸首の中段位置に結合され、第２の定位槽に位置する第２の砥石セットと、
該刃物研ぎ器主体の握りの前方に固結され、握りから外部へ延ばした保護段があり、該保護段が、第１の砥石セットの使用方向と同一方向に設置される保護遮蔽と、が含有される、ことを特徴とする刃物研ぎ器構造。
【請求項２】
該保護遮蔽が、ロックの方式により刃物研ぎ器主体に結合されるように設置され、或いは、一体射出の方式により成形されることを特徴とする請求項１に記載の刃物研ぎ器構造。
【請求項３】
該刃物研ぎ器主体の握り上に収納槽が設けられ、収納槽の開口に、蓋体が設けられ、該蓋体により、該刃物研ぎ器主体の収納槽が、嵌合されるように閉鎖されることを特徴とする請求項１に記載の刃物研ぎ器構造。
【請求項４】
該刃物研ぎ器主体の握り上に収納槽が設けられ、収納槽の開口に、蓋体が設けられ、該蓋体により、該刃物研ぎ器主体の収納槽が、嵌合されるように閉鎖され、また、該刃物研ぎ器主体の収納槽に、油擦が設置されることを特徴とする請求項１に記載の刃物研ぎ器構造。
【考案の詳細な説明】
【技術分野】
【０００１】
本考案は、鈍くなって鋭利でない刃物を研磨して、刃物の刃部を鋭利に回復するための刃物研ぎ器構造に関し、特に、一般の刃物の研磨の他に、園芸鋏みに適用でき、また、園芸鋏みの刃部の曲度変化に合わせて研磨できるものに関する。
【背景技術】
【０００２】
刃物の刃部は、長時間に使用されると、鋭利である刃部が自然に磨耗して鈍くなり、研磨することにより、刃部の鋭利が回復され、また、研磨する時、通常、砥石を使用し、一般の単一刃部の刃物であれば、造型が簡単であるため、容易に、任意形式の砥石で研磨でき、しかし、鋏み等の刃物であれば、対向する二つの刃部があり、また、両刃部が、完全に開くことができないため、研磨する時、研磨工程がややこしく、また、多い鋏み類がリベットによってかしめられて、分離することができない。
【考案の開示】
【考案が解決しようとする課題】
【０００３】
本考案の主な目的は、刃物研ぎ器握りと延伸首及び第１の砥石セットが、同一方向の線上に設置され、使用する時、延伸首が、園芸鋏みの刃部内に突き込み、退避円弧面の曲度により、刃部と顎部を避け、力を印加して、第１の砥石セットで刃部を摺動する時、園芸鋏みに対する作用点と刃物研ぎ器の摺動方向が同じで、また、同方向に下へ圧す力が発生し、そのため、内から外へスムーズに刃部全体を摺動でき、使用上、より快速的且つ便利的であり、また、力が、完全に且つ直接に刃部に下へ圧すように印加され、より省力的である刃物研ぎ器構造を提供する。
【０００４】
本考案の他の目的は、刃物研ぎ器握りと延伸首及び第１の砥石セットが、同一方向の線上に設置され、また、該方向の握りの外側に、保護遮蔽が設置されて、園芸鋏みの刃部により手に傷付けることを防止できる刃物研ぎ器構造を提供する。
【０００５】
本考案の更に他の目的は、直交するように、果物ナイフを磨くことができ、直交する方式により、握る手が鋭利な刃部から遠く離れ、また、スムーズに力を印加して単一刃部の刃物を磨くことができる刃物研ぎ器構造を提供する。
【課題を解決するための手段】
【０００６】
請求項１の考案は、後段に、握りがあり、握りの前方に、一体的に延伸首が延ばし、該延伸首の上方に、退避円弧面が形成され、延伸首の先端位置に、第１の定位槽があり、中段の下方に、第２の定位槽が設けられる刃物研ぎ器主体と、該刃物研ぎ器主体の延伸首の先端位置に結合され、第１の定位槽に位置し、握りと延伸首とともに、同一方向の線上に設置される第１の砥石セットと、該刃物研ぎ器主体の延伸首の中段位置に結合され、第２の定位槽に位置する第２の砥石セットと、該刃物研ぎ器主体の握りの前方に固結され、握りから外部へ延ばした保護段があり、該保護段が、第１の砥石セットの使用方向と同一方向に設置される保護遮蔽と、が含有されることを特徴とする刃物研ぎ器構造である。
【０００７】
請求項２の考案は、該保護遮蔽が、ロックの方式により刃物研ぎ器主体に結合されるように設置され、或いは、一体射出の方式により成形されることを特徴とする請求項１に記載の刃物研ぎ器構造である。
【０００８】
請求項３の考案は、該刃物研ぎ器主体の握り上に収納槽が設けられ、収納槽の開口に、蓋体が設けられ、該蓋体により、該刃物研ぎ器主体の収納槽が、嵌合されるように閉鎖されることを特徴とする請求項１に記載の刃物研ぎ器構造である。
【０００９】
請求項４の考案は、該刃物研ぎ器主体の握り上に収納槽が設けられ、収納槽の開口に、蓋体が設けられ、該蓋体により、該刃物研ぎ器主体の収納槽が、嵌合されるように閉鎖され、また、該刃物研ぎ器主体の収納槽に、油擦が設置されることを特徴とする請求項１に記載の刃物研ぎ器構造である。
【考案を実施するための最良の形態】
【００１０】
図１乃至３は、刃物研ぎ器主体２０と第１の砥石セット３０、第２の砥石セット４０、蓋体５０、油擦６０及び保護遮蔽７０からなり、該刃物研ぎ器主体２０は、後段に、握り２１があり、握り２１上に収納槽２２が設けられ、また、収納槽２２の開口に、蓋体５０が設けられ、握り２１の前方に、一体的に延伸首２３が延ばし、該延伸首２３の上方に、退避円弧面２４が形成され、延伸首２３の先端位置に、第１の定位槽２５があり、中段の下方位置に、第２の定位槽２６が設けられ、第１の砥石セット３０は、刃物研ぎ器主体２０の延伸首２３の先端位置に結合され、第１の定位槽２５に位置し（図４のように）、握り２１と延伸首２３とともに、同一方向の線上に設置され、第２の砥石セット４０は、刃物研ぎ器主体２０の延伸首２３の中段位置に結合され、第２の定位槽２６に位置し（図４のように）、蓋体５０は、可動的に、刃物研ぎ器主体２０の収納槽２２に嵌合され、嵌合することにより刃物研ぎ器主体２０の収納槽２２を閉鎖でき、油擦６０は、刃物研ぎ器主体２０の収納槽２２に収納され、蓋体５０を開くと、取り出されて使用されることができ、保護遮蔽７０は、刃物研ぎ器主体２０の握り２１の前方に固結され、握り２１から外部へ延ばした保護段７１があり、該保護段７１が、第１の砥石セット３０の使用方向と同一方向に設置される。
【００１１】
保護遮蔽７０は、ロックの方式により刃物研ぎ器主体２０に結合されるように設置され、或いは、刃物研ぎ器主体２０と一体射出の方式により成形される。
【００１２】
園芸鋏み１が鈍くなって鋭利でない時、図５のように、直接に刃物研ぎ器主体２０の握り２１を持ち、開かれた園芸鋏み１の開口に向かって、延伸首２３を園芸鋏み１の刃部内に突き込み、延伸首２３と退避円弧面２４の曲度により、刃部と顎部を避け、第１の定位槽２５と第１の砥石セット３０が、刃部の内側に位置するため、刃物研ぎ器を力を込めて摺動する時、園芸鋏み１上の作用点と刃物研ぎ器の摺動方向が同じで、また、同方向に下へ圧す力が発生し、そのため、内から外へスムーズに刃部全体を摺動でき、これにより、園芸鋏み１の刃部が鋭利に磨かれる。
【００１３】
第１の砥石セット３０が刃部に面する時、園芸鋏み１の刃部も手で握った握り２１に面し、そのため、該方向の握り２１の外側に保護遮蔽７０を設置することにより、園芸鋏み１の刃部が手に傷付くことを防止できる。
【００１４】
一般の単一刃部の刃物が鈍くなって鋭利でない時、例えば、果物ナイフ２や包丁で、図６のように、それぞれ、果物ナイフ２と刃物研ぎ器主体２０の握り２１を取って、直交するようにして、また、果物ナイフ２の刃部を、延伸首２３の第２の定位槽２６に突き込み、第２の砥石セット４０を、果物ナイフ２の刃部に合わせて、刃物研ぎ器を、刃部を摺動するようにすると、果物ナイフ２の刃部が鋭利に磨かれる。
【００１５】
刃物が鋭利に磨かれた後、刃物研ぎ器主体２０の収納槽２２に収納された油擦６０を取り出して金属刃部に油を付けることにより、刃物が、研磨過程において、使用された水と生成した金属粉末とが接触することにより錆びることを防止でき、図７のようである。
【００１６】
上記の具体的な実施例の構造によれば、次の利点が得られる。
【００１７】
１、刃物研ぎ器握り２１と延伸首２３及び第１の砥石セット３０が、同一方向の線上に設置され、使用する時、延伸首２３が、園芸鋏み１の刃部内に突き込み、退避円弧面２４の曲度により、刃部と顎部を避け、力を印加して、第１の砥石セット３０で刃部を摺動する時、園芸鋏み１に対する作用点と刃物研ぎ器の摺動方向が同じで、また、同方向に下へ圧す力が発生し、そのため、内から外へスムーズに刃部全体を摺動でき、使用上、より快速的且つ便利的であり、また、力が、完全に且つ直接に刃部に下へ圧すように印加され、より省力的である。
【００１８】
２、刃物研ぎ器握り２１と延伸首２３及び第１の砥石セット３０が、同一方向の線上に設置され、また、該方向の握り２１の外側に、保護遮蔽７０が設置されて、園芸鋏み１の刃部により手に傷付くことを防止できる。
【００１９】
３、直交するように、延伸首２３の中段位置の一方に設置された第２の砥石セット４０により果物ナイフ２を磨き、直交する方式により、握る手が鋭利な刃部から遠く離れ、また、スムーズに力を印加して単一刃部の刃物を磨くことができる。
【図面の簡単な説明】
【００２０】
【図１】本考案の立体組立て図
【図２】本考案の立体分解図
【図３】本考案の他の角度から見る時の局部立体分解図
【図４】本考案の組立ての局部断面図
【図５】本考案で園芸鋏みの刃部を磨く時の作動概念図
【図６】本考案で単一刃部を磨く時の作動概念図
【図７】本考案においての油を付ける時の作動概念図
【符号の説明】
【００２１】
１          園芸鋏み
２          果物ナイフ
２０        刃物研ぎ器主体
２１        握り
２２        収納槽
２３        延伸首
２４        退避円弧面
２５        第１の定位槽
２６        第２の定位槽
３０        第１の砥石セット
４０        第２の砥石セット
５０        蓋体
６０        油擦
７０        保護遮蔽
７１        保護段
【図１】
0003129848.tif 000003
【図２】
0003129848.tif 000004
【図３】
0003129848.tif 000005
【図４】
0003129848.tif 000006
【図５】
0003129848.tif 000007
【図６】
0003129848.tif 000008
【図７】
0003129848.tif 000009